(57)【特許請求の範囲】
【請求項１】
フロアパネルに形成された切欠状の開口部から張り出されるフランジ上に保持されて該開口部を閉塞するフロアパネル開口部の塞ぎ板であって、
面板部の奥側辺縁を切り欠いて形成される引っかけ凹部と、
面板部の裏面に形成され、前記開口部の側辺から張り出されるフランジに係止可能な係止部とを有し、
前記係止部は、開放側辺縁近傍に配置されて、面板部の奥側辺縁を上方に引き起こすような回転操作によりフランジとの係止解除を可能にし、かつ、面板部の裏面に膨隆される膨隆部の面板部との境界を窪ませて形成されるフロアパネル開口部の塞ぎ板。
【請求項２】
フロアパネルに形成された切欠状の開口部から張り出されるフランジ上に保持されて該開口部を閉塞するフロアパネル開口部の塞ぎ板であって、
面板部の奥側辺縁を切り欠いて形成される引っかけ凹部と、
面板部の裏面に形成され、前記開口部の側辺から張り出されるフランジに係止可能な係止部とを有し、
前記係止部は、開放側辺縁近傍に配置されて、面板部の奥側辺縁を上方に引き起こすような回転操作によりフランジとの係止解除を可能にし、かつ、面板部の裏面に膨隆される膨隆部の中央部を貫通状に肉抜きして形成される脚片部に形成されるとともに、
該脚片部と面板部との境界が薄肉部を介して連結されるフロアパネル開口部の塞ぎ板。
【請求項３】
合成樹脂材を射出成型して形成され、フロアパネルに形成された切欠状の開口部を閉塞するフロアパネル開口部の塞ぎ板であって、
前記開口部から張り出されるフランジ上に係止、保持されて開口部を閉塞する面板部の裏面には、該面板部と共働して開放側辺縁に向けて開放される袋体を形成する補強部が設けられるフロアパネル開口部の塞ぎ板。
【請求項４】
フロアパネルと、請求項１または２記載の塞ぎ板とを有し、
前記フロアパネルの開口部には、塞ぎ位置の引っかけ凹部に対面する凹部が設けられるフロアパネル装置。
【発明の詳細な説明】
【０００１】
【発明の属する技術分野】
本発明はフロアパネル開口部の塞ぎ板、およびフロアパネル装置に関するものである。
【０００２】
【従来の技術】
フロアパネルの辺縁に形成された開口部を閉塞するために使用される閉塞装置としては、特許第２５４９７２８号公報に記載されたものが知られている。この従来例において、フロアパネルの開口部に塞ぎ板を装着した状態で面板部の裏面に突設されるＵ字状の係止脚をフロアパネル開口部の側縁に係止させることにより閉塞状態が維持される。係止脚はさらに上方に延設されて面板部に開設した操作用開口から露出しており、該係止脚を内方に弾性変形させることにより開口部との係止を解除し、塞ぎ板を開口部から取り外すことができる。
【０００３】
【発明が解決しようとする課題】
上述した従来例において、係止脚は開口部の奥行き方向ほぼ中央に配置されるために、装着した塞ぎ板を取り外すには、係止脚を直接操作して開口部との係止を解除する必要があり、そのために、面板部に操作用開口を開設する必要がある。
【０００４】
しかし、操作用開口を開設することにより、該開口周りへの応力集中が避けられなく、集中荷重による割れ等の発生原因となる。
また、上述した従来例において、面板部には、フロアパネル開口部の開放側辺縁に対応する辺縁に補強用のリブが設けられ、補剛、補強が図られているが、当該補強用リブの幅は補強が確実に行われるように大きなために合成樹脂材を使用した射出成型により塞ぎ板を製造する場合には、補強リブの形成部は表面へのひけ等の表面欠陥が発生しやすいために、成型時のサイクルタイムが長く、製造性が悪いという問題がある。
【０００５】
本発明は、以上の欠点を解消すべくなされたもので、強度が高く、かつ、製造性の良好なフロアパネル開口の塞ぎ板、およびフロアパネル装置の提供を目的とする。
【０００６】
【課題を解決するための手段】
本発明によれば上記目的は、
フロアパネル１に形成された切欠状の開口部２から張り出されるフランジ３上に保持されて該開口部２を閉塞するフロアパネル開口部の塞ぎ板であって、
面板部４の奥側辺縁４ａを切り欠いて形成される引っかけ凹部６と、
面板部４の裏面に形成され、前記開口部２の側辺から張り出されるフランジ３に係止可能な係止部７とを有し、
前記係止部７は、開放側辺縁４ｂ近傍に配置されて、面板部４の奥側辺縁４ａを上方に引き起こすような回転操作によりフランジ３との係止解除を可能にし、かつ、面板部４の裏面に膨隆される膨隆部５の面板部４との境界を窪ませて形成されるフロアパネル開口部の塞ぎ板を提供することにより達成される。
【０００７】
塞ぎ板は面板部４の周縁裏面がフロアパネル１の開口部２に張り出されるフランジ３に支承されて開口部２内に保持され、裏面に形成された係止部７をフランジ３に係止させることにより装着状態が維持される。係止部７は引き上げ方向の力に対してフランジ３、あるいは係止部７に係止解除方向の分力が発生する形状に形成される。
【０００８】
したがって、本発明において、上記係止部７を直接操作することなく、面板部４に形成された引っかけ凹部６に例えば指等を差し込んで奥側辺縁４ａ（本明細書において、塞ぎ板をフロアパネル１開口部２に装着した状態で、開口部２の開放部に対応する辺縁を「開放側辺縁」、これに対応する辺縁を「奥側辺縁」という。）を上方に引き上げるようにして面板部４を回転させると、係止部７には上方への操作力が付与され、操作力の分力により係止部７、あるいはフランジ３が弾性的に撓んで係止が解除される。係止部７は開放側辺縁４ｂ近傍に配置されているために、係止部７に与えられる操作力はアーム比が大きなために奥側辺縁４ａへの操作力に比して格段に大きく、小さな操作力により簡単に係止を解除して塞ぎ板を取り外すことができる。
【０００９】
この結果、従来例のように、面板部４に係止部７を操作するための操作用開口を開設する必要がなくなるために、不要な応力集中箇所をなくすことが可能になり、破損、変形等に対する抵抗力が高くなる。さらに、フロアパネル１に装着された塞ぎ板には、通常下方への押圧力のみが与えられ、浮き上がり方向への力は受けることはないために、少なくとも開放側辺縁４ｂに集中荷重が負荷された際に該開放側辺縁４ｂを回転中心とする回転力を規制するために係止力が係止部７に与えられていれば、不用意な脱落も完全に防止できる。さらに、係止部７をフランジ３に圧接させることにより、塞ぎ板のがたつきも防止することができる。
【００１０】
上記係止部７は面板部４の裏面に膨隆した膨隆部５を窪ませて形成することができ、このように構成することにより、面板部４裏面から単独で立設させた脚部に係止部７を形成する従来例に比して、強度負担が少なくなり、頻繁な塞ぎ板の着脱操作によっても容易に破断しない。
【００１１】
また、上記係止部７は、図６に示すように、面板部４の裏面に膨隆される膨隆部５の中央部を開放側辺縁４ｂから奥側辺縁４ａに向けて貫通状に肉抜きして形成される脚片部１５の先端部に形成することができる。脚片部１５の先端は薄肉部１５ａを介して面板部４に連結されており、係止部７をフランジ３に係止させる際に薄肉部１５ａが変形、あるいは破断して脚片部１５の弾性変形を許容するために、フランジ３への係止が確実な上に、係止解除操作も容易になる。
【００１２】
また、塞ぎ板を合成樹脂材により形成する場合には、
面板部４の裏面に、該面板部４と共働して開放側辺縁４ｂに向けて開放される袋体を形成する補強部８を設けることにより、製造効率を低下させることなく強度、剛性を高めることができる。
【００１３】
さらに、以上の塞ぎ板が装着されるフロアパネル１の開口部２に、上記塞ぎ板の引っかけ凹部６に対面する凹部９を設けておくと、塞ぎ板の引き上げ操作が容易になるために、操作性が向上する。
【００１４】
【発明の実施の形態】
まず、図４にフロアパネル１を使用したアクセスフロアを示す。アクセスフロアは支持装置１０を使用して床基部上適宜高さに複数のフロアパネル１、１・・を保持して形成され、床下配線１１はフロアパネル１、１同士の境界部から床上に引き出される。なお、図４において１２はフロアパネル１上に敷設されるカーペットを示す。
【００１５】
上記床下配線１１の引き出しスペースを確保するために、フロアパネル１の対向する一対の辺縁には切欠状の開口部２が形成される。開口部２には内方に向けて突設されるフランジ３が設けられ、該フランジ３により周縁裏面が支承された状態で塞ぎ板Ａが装着される。
【００１６】
図１ないし図３に示すように、塞ぎ板Ａは合成樹脂材の射出成型品であり、上記開口部２を閉塞する平面視矩形形状の面板部４を有する。面板部４の奥側辺縁４ａの中心には馬蹄形状の薄肉部４ｃが表裏に形成され、該薄肉部４ｃによる包囲部４ｄをペンチ等の工具で取り除くことにより、床下配線１１を引き出すための通線用開口を開設できる（図２（ａ）、図４参照）。また、上記包囲部４ｄの辺縁にはフロアパネル１側の凹部９に正対する引っかけ凹部６が切り欠かれ、凹部９と引っかけ凹部６により操作用凹部１３が構成される。
【００１７】
さらに、上記面板部４の裏面周縁部には平面部４ｅが形成され、該平面部４ｅと上記薄肉部４ｃ形成領域を除くほぼ全領域に補強部８が形成される。平面部４ｅは上記フロアパネル１のフランジ３への被支承面となり、フランジ３に穿孔された位置決め孔３ａに嵌合する位置決めボス４ｆと、フランジ３の隅角部に係止するＬ字状の位置決め部４ｇを備える。
【００１８】
補強部８は面板部４の剛性、強度を高めるためのもので、面板部４裏面から延設される３面の外殻壁８ａ、８ｂを有し、面板部４と共働して開放側辺縁４ｂに向けて開放される袋体を構成する。外殻壁８ａ、８ｂのうち対向する２面８ａ、８ａは内方に向かう傾斜面とされており、中空部には、開放方向に延び、傾斜面からなる傾斜壁８ｃが配置されて補強部全体がトラス類似の構造をなす。これら外殻壁８ａ、８ｂの肉厚をほぼ均等にすると、成型時における補強部８の冷却速度を一定にすることができるので、表面欠陥の発生を防止でき、さらに、成型サイクルを短縮することができる。また、成型サイクルの短縮には、これら外殻壁８ａ、８ｂ等と面板部４の肉厚を均等にするのが有効である。
【００１９】
さらに、上記補強部８の側壁面と面板部４の裏面とを掛け渡すように、中空部が開放側辺縁４ｂ、および奥側辺縁４ａに向けて貫通する中空リブ（膨隆部５）が設けられる。この中空リブ５は開放側辺縁４ｂ近傍に形成され、中空リブ５の面板部４との境界を窪ませて係止部７が形成される。係止部７は上記開口部２への装着時にフランジ３に係止して装着状態を維持するもので、表面をアール面とすることにより、フランジ３に対して斜め方向（図３（ｂ）に示すように、係止解除方向Ｂに対して適宜角度θ傾いた方向Ｃ）から係止する。また、係止寸法δは、フランジ３、あるいは塞ぎ板Ａを構成する合成樹脂材の剛性等を考慮して適宜決定されるが、塞ぎ板Ａは装着状態において通常上方からの荷重のみを受けるために、開放端縁に集中荷重を負荷した際に塞ぎ板Ａに生じる図２（ａ）におけるＤ方向の回転運動を規制することができる程度の係止力が得られる程度の微少量で足りる。
【００２０】
したがってこの実施の形態において、塞ぎ板Ａをフロアパネル１開口部２に装着すると、係止部７がフランジ３に係止して装着状態を維持し、不用意な脱落が防止される。装着状態において係止部７はフランジ３に圧接しており、がたつきが発生することもない。また、面板部４はフランジ３に支承される平面部４ｅを除くほぼ全域に形成される補強部８により補強、補剛されているために、集中荷重が加わっても破壊、あるいは不要な撓みが生じない。さらに、床下配線１１は薄肉部４ｃによる包囲部４ｄを取り除いて形成される通線部から引き出すことができる。
【００２１】
塞ぎ板Ａを取り外す際には、図２に示すように、引っかけ凹部６と凹部９とにより形成される操作用凹部１３から指、あるいは工具を差し込んで、奥側辺縁４ａを上方に引き上げる。この操作により塞ぎ板Ａには開放側辺縁４ｂを中心とする回転力が与えられ、係止部７には上方への力が加えられる。図３（ｂ）に示すように、係止部７はフランジ３に対して斜め方向Ｃから係止しているために、係止部７の上方への操作力により係止部７は内向きの分力Ｅを得て内方に弾性変形し、係止が解除される。図２に示すように、支点となる開放側辺縁４ｂから係止部７までの間隔ｄ１に比して奥側辺縁４ａまでの間隔ｄ２は大きいために、引っかけ凹部６への操作力が小さくても係止部７の解除操作を容易に行うことができる。
【００２２】
なお、以上の説明において、係止部７は中空リブ５の面板部４との境界を窪ませて形成されていたが、補強部８の一部、正確には開放側辺縁４ｂ近傍を側方に膨隆させ、該膨隆部５の面板部４との境界を窪ませて係止部７とすることができる。また、係止部７を補強部８、あるいは中空リブ５を窪ませて形成すると、係止部７への応力負担を軽減することが可能になるが、図５に示すように、上記膨隆部５の底壁部５ａを一旦側方に延設した後、その先端から脚部１４を延設し、該脚部１４の先端部に係止部７を形成することもできる。脚部１４の先端１４ａとの間には間隙ｄが設けられ、脚部１４の弾性変形が許容される。この場合も、係止部７の上方への操作力により脚部１４に圧縮方向の力のみが発生し、係止解除方向の力が生じないことのないように、係止部７はフランジ３に対して斜め方向Ｃから係止するような形状とされる。なお、図５において他の部位は上述した実施の形態を同一に形成されるために、図示、および説明を省略する。
【００２３】
図６、７に図５に示す参考例の問題を解決して金型のもちをよくするための係止部７の変形例を示す。すなわち、図５に示す参考例において、先端と面板部４裏面との間に間隙ｄが形成される脚部１４を成型するには、間隙ｄを形成するための肉部を成型金型に形成する必要が生じる。間隙ｄは微少寸法であるために、肉部の肉厚も薄くなり、当該肉部での破損が生じやすく、金型のもちが悪くなる。
【００２４】
一方、図６に示す変形例において、上記膨隆部５は同様に中空状に形成され、該膨隆部５の外壁部を利用して先端部、すなわち面板部４との境界近傍に係止部７を備えた脚片部１５が形成される。また、脚片部１５の先端は薄肉部１５ａを介して面板部４裏面に連結（肉続き）される。
【００２５】
したがってこの変形例による係止部７を成型するための成型金型は、貫通状の中空部を形成するためのブロックと、外周部を形成するブロック部を有していればよく、薄肉の肉部を必要としないために、金型のもちが良くなる。さらに、膨隆部５の底壁部５ａから上方に立ち上がる脚片部１５と面板部４裏面とのつながり部は薄肉になっているために、図７に示すように、フロアパネル１のフランジ３に係止部７を係止させようとすると、まず、脚片部１５が図７において矢印Ａ方向に押される結果、薄肉部１５ａが同方向に弾性変形して脚片部１５の変形を許容し、脚片部１５がフランジ３に押されて弾性変形してフランジ３をかわした後、脚片部１５が弾性的に原位置に復帰して係止部７がフランジ３に係止する。この結果、係止部７とフランジ３との係止は、上述した図５に示す変形例と同様に、脚片部１５の弾性変形を伴って行われるために、係止が確実で、かつ、係止、および係止解除の操作感も良好になる。
【００２６】
なお、脚片部１５と面板部４裏面は成型時において薄肉部１５ａを介して連続していれば足り、成型後、人為的に、あるいは係止操作中の剪断力により自然に薄肉部１５ａが破断して面板部４との連続状態が破壊されてもよい。
【００２７】
【発明の効果】
以上の説明から明らかなように、本発明によれば、強度、剛性を高めることができ、かつ、製造効率も向上させることができる。また、係止部は開放側辺縁近傍に配置されているために、係止部に与えられる操作力はアーム比が大きなために奥側辺縁への操作力に比して格段に大きく、小さな操作力により簡単に係止を解除して塞ぎ板を取り外すことができる。
【図面の簡単な説明】
【図１】本発明を示す図で、（ａ）は平面図、（ｂ）は（ａ）の１Ｂ-１Ｂ線断面図である。
【図２】塞ぎ板の脱離操作を示す断面図で、（ａ）は図１（ａ）の２Ａ-２Ａ線断面図、（ｂ）は奥側辺縁を持ち上げた状態を示す図である。
【図３】本発明を示す図で、（ａ）は裏面図、（ｂ）は（ａ）の３Ｂ-３Ｂ線断面図である。
【図４】フロアパネルを敷設した状態を示す説明図である。
【図５】  本発明の参考例を示す図で、係止部のみを拡大して示す図である。
【図６】図５の変形例を示す図で、（ａ）は係止部近傍の拡大断面図、（ｂ）は（ａ）の６Ｂ部拡大図である。
【図７】フロアパネルへの係止状態を示す断面図である。
【符号の説明】
１        フロアパネル
２        開口部
３        フランジ
４        面板部
４ａ      奥側辺縁
４ｂ      開放側辺縁
５        膨隆部
６        引っかけ凹部
７        係止部
８        補強部
９        凹部
１４      脚部
１５      脚片部
１５ａ    薄肉部
【図１】
0004169867.tif 000002
【図２】
0004169867.tif 000003
【図３】
0004169867.tif 000004
【図４】
0004169867.tif 000005
【図５】
0004169867.tif 000006
【図６】
0004169867.tif 000007
【図７】
0004169867.tif 000008